(57)【要約】【課題】  ユーザーが万が一の時のことを考慮して生前に準備しておきたいこと、それをコーディネートする、いわゆる逝き支度の支援事業を立ち上げること、また墓を建立したくても高額であるために墓苑の購入ができない、また墓は建立したが墓の管理またはお参りが容易ではない、また出身地の地方に先祖代々の墓があるが、やはりお参りにいけない等々の問題を踏まえた墓のこと、これらを解決することが発明が解決しようとする課題である。【解決手段】ユーザーが自分の生前墓、そして万が一の時のための棺桶、骨つぼ、遺影、遺言書等を生前に確認し準備しておくことを支援するシステム、並びにユーザーの希望する墓を仮想墓としてコンピューターの中に設け、国内、国外はもとより、インターネットの接続が可能であれば自宅からでも何処からでも礼拝できるようにするシステム等からなる支援事業を開くことを課題を解決するための手段としている。【特許請求の範囲】
【請求項１】
墓、墓の付帯備品、棺桶、骨つぼ、仏壇、遺影、装束、アクセサリー等を、ユーザーが生前に自分の目で確認し準備することをコーディネートし、企画、製造、販売をすると共に、最後の晩餐の企画設定、遺言書の作成までを一括してプロデュースするシステムからなる逝き支度支援事業。
【請求項２】
既存の霊園とＩＴを活用した仮想霊園システムを融合して、地理的に墓参の困難な人、自分の墓所として希望する場所、または出身地のロケーションにてコンピューターの中に生前墓を設けるシステムからなる逝き支度支援事業。
【発明の詳細な説明】
【技術分野】
【０００１】  本発明は、ユーザーが自分の墓、そして万が一の時のための棺桶、骨つぼ、遺影、遺言書等を生前に確認し準備しておくことを支援するシステム、並びにユーザーの希望する墓を仮想墓としてコンピューターの生前墓を設けるシステム等からなる逝き支度支援事業に関するものである。
【背景技術】
【０００２】  生きてきた証を自分のために残しておきたいと願う人は数多くいるが、いざそれを実行するとなると、そういうことをコーディネートする業者はいなく、何処に頼めばよいのか分からなくて、不安な日々を過ごされている人は多い。最近耳にする「エンディングノート」、これは万が一の時のために葬儀や墓の希望等を家族や周囲に当てて自分の意思を書き込んでおく冊子のことであるが、やはりこれだけでは万が一の時の準備としては満足できないものであった。【０００３】  最近では後を継ぐ方に負担をかけないように、また自分の気にいった墓碑銘や石材、そして建立する場所を選びたいと生前に墓を建立する人は多々見られる。生前の墓、即ち寿陵といわれるものであるが、寿陵は古くから「長寿」「子孫繁栄」「家内円満」の三つの果報を招くと言われており、中国では古来より、生前に墓を建立することは長寿を授かる縁起の良いこととされ、古文書にも「寿蔵」「寿堂」などと書かれているという。【０００４】  また各国、どこへいっても先祖の墓は存在する。国内でも地方により、また宗派によって形態は異なることもあるが墓は存在している。しかし国内においては、特に都会では墓を作れない人も多く、また墓を作ってもなかなかお参りにいけないと言う問題もある。これは墓を建てる墓苑が都心部においては高額なこと、また都心部を避けて比較的安価な郊外に墓苑を購入し墓を建てれば、遠隔地と言う事でお参りになかなかいけない。また地方に先祖代々の墓があるものの、これも遠隔地でお参りにいけない等々の問題があった。【０００５】  一方、国内では沖縄地方等の墓は大きいのが特徴であるが、都会でこのような墓を作ることは極めて難事であるが、沖縄地方の人々にとっては独特の亀甲墓を建てたいという願望があるものであり、出願人はハワイ在住の沖縄出身者の依頼で、ハワイに沖縄式の亀甲墓を建立した実績がある。これは例えば日本国籍を有して国内で生活している韓国の人たちにもいえることで、やはり出身地に見られる韓国式の大きい墓を建てたいと考えており、現に高野山へいくと韓国式の大きい墓を一部の人が建立しているのを見ることができる。【０００６】  また現在はパソコンの普及率は高く、オンラインショッピング等、インターネットを利用して商品の購入までできる時代であるが、墓とインターネットを結びつけたものは見られない。
【発明の開示】
【発明が解決しようとする課題】
【０００７】  ユーザーが万が一の時のことを考慮して生前に準備しておきたいこと、それをコーディネートする、いわゆる逝き支度の支援事業を立ち上げること、また墓を建立したくても高額であるために墓苑の購入ができない、また墓は建立したが墓の管理またはお参りが容易ではない、また出身地の地方に先祖代々の墓があるが、やはりお参りにいけない等々の問題を踏まえた墓のこと、これらを解決することが発明が解決しようとする課題である。
【課題を解決するための手段】
【０００８】  ユーザーが自分の生前墓、そして万が一の時のための棺桶、骨つぼ、遺影、遺言書等を生前に確認し準備しておくことを支援するシステム、並びにユーザーの希望する墓を仮想墓としてコンピューターの中に設け、国内、国外はもとより、インターネットの接続が可能であれば自宅からでも何処からでも礼拝できるようにするシステム等からなる支援事業を開くことを課題を解決するための手段としている。
【発明の効果】
【０００９】  本発明は、墓、墓の付帯備品、棺桶、骨つぼ、仏壇、遺影、装束、アクセサリー等を、ユーザーが生前に自分の目で確認し準備することをコーディネートし、企両、製造、販売をすると共に、最後の晩餐の企画設定、遺言書の作成までを一括してプロデュースするシステムからなる逝き支度支援事業、並びに、既存の霊園とＩＴを活用した仮想霊園システムを融合して、地理的に墓参の困難な人、自分の墓所として希望する場所、または出身地のロケーションにてコンピューターの中に生前墓を設けるシステムからなる逝き支度支援事業であるから、従来、生きてきた証を自分のために残しておきたいと願う人が、いざそれを実行するとなると、そういうことをコーディネートする業者はいなく、何処に頼めばよいのか分からず困っていた問題、また万が一の時のために葬儀や墓の希望等を家族や周囲に当てて自分の意思を書き込んでおく冊子はあったものの、これだけでは万が一の時の準備としては満足できないという問題、また墓は建立したが墓の管理またはお参りが容易ではない、また出身地の地方に先祖代々の墓があるが、やはりお参りにいけない等々の問題、これらが逝き支度の支援事業を開くことによって、墓、墓の付帯備品、棺桶、骨つぼ、仏壇、遺影、装束、アクセサリー等を、ユーザーが生前に自分の目で確認し準備すること、更には遺言書の作成までをコーディネートし、企画、製造、販売まですることでユーザーが生前に希望することは全て支援することが出来るものであり、またインターネット利用の仮想墓システムは、ユーザーの希望する墓を仮想墓としてコンピューターの中に設け、国内、国外はもとより、インターネットの接続が可能であれば自宅からでも何処からでも礼拝できるものである等、極めて顕著なる種々の効果が得られるものである。
【発明を実施するための最良の形態】
【００１０】  本発明は、墓、墓の付帯備品、棺桶、骨つぼ、仏壇、遺影、装束、アクセサリー等を、ユーザーが生前に自分の目で確認し準備することをコーディネートし、企画、製造、販売をすると共に、最後の晩餐の企画設定、遺言書の作成までを一括してプロデュースするシステムからなる逝き支度支援事業、並びに、既存の霊園とＩＴを活用した仮想霊園システムを融合して、地理的に墓参の困難な人、自分の墓所として希望する場所、または出身地のロケーションにてコンピューターの中に生前墓を設けるシステムからなる逝き支度支援事業を呈せんとするものである。
【実施例１】
【００１１】  墓、墓の付帯備品及び骨つぼ（自分でデザインし自分で製作できるように石材業者及び陶磁器メーカーと提携）、棺桶、仏壇、遺影、装束、アクセサリー（珊瑚、真珠等を自分でデザインして製作）等を、ユーザーが生前に自分の目で確認し準備することをコーディネートし、企画、製造、販売をすると共に、最後の晩餐の企画設定、遺言書（各種の法律相談も含め専属の弁護士が対応）の作成までを一括してプロデュースするシステムからなる逝き支度支援事業である。【００１２】  仮想生前墓はユーザーの要望による各種の墓及び墓の背景をインプットしたものである。即ち、沖縄出身者であれば亀甲墓をインプットし、その背景には沖縄の自分の住んでいた、また先祖の住んでいた地方の景色等、また韓国の人であれば、韓国の慣習による墓であり、背景には、やはり韓国の出身地または先祖の住んでいた地域の景色等をインプットしている。当該仮想生前墓の背景は生前のユーザーの要望による多種類をインプットし、ユーザーが各自で背景を変更し得るにしている。【００１３】  モニターに表現される仮想墓に対し、同じく仮想の好みの供物、花、線香等を供えられるようインプットしている。これは通常の墓では礼拝時に供物を供えたり、花を供え、線香をたいているのと同じように、仮想墓の礼拝時にも、仮想の好みの供物、花、線香を供えられるようにインプットしている。これは国内においても国外においてもその土地、その国の慣習に適応した供物、花等としており、種類も各多種に亘ってインプットしている。【００１４】  仮想墓と同時に霊標もインプットし、当該霊標には各々の先祖の戒名及び顔写真及び先祖のプロフィル及び法要の期日等をインプットしている。モニターに表示されている仮想墓の礼拝時に霊標の項をクリックすれば、モニターに霊標が表示され、当該霊標の故人の項をクリックすれば、各々の先祖の顔写真が表示され、次いでプロフィルも表示される。また当該先祖の次回法要の期日も表示されるようにインプットしている。【００１５】  オンラインを通じての礼拝時に、各国の各宗派に適応した経典等をテロップにてモニター面に表現、または音響にて表現すべくインプットしている。
【産業上の利用可能性】
【００１６】  本発明は、墓、墓の付帯備品、棺桶、骨つぼ、仏壇、遺影、装束、アクセサリー等を、ユーザーが生前に自分の目で確認し準備することをコーディネートし、企画、製造、販売をすると共に、最後の晩餐の企画設定、遺言書の作成までを一括してプロデュースするシステムからなる逝き支度支援事業、並びに、既存の霊園とＩＴを活用した仮想霊園システムを融合して、地理的に墓参の困難な人、自分の墓所として希望する場所、または出身地のロケーションにてコンピューターの中に生前墓を設けるシステムからなる逝き支度支援事業であるから、当該事業を単一の企業にて全て賄おうというのではなく、墓、棺桶、骨つぼ、仏壇、遺影、装束、アクセサリー、また葬祭、弁護士、またコンピューターのソフト制作業者等、種々様々な業界と提携して一つの支援事業とするものであり、産業上の利用可能性は極めて高いものである。